【事件の表示】
　特許第２７８７１０３号「スイーパー」の特許に対する特許異議の申立てについて、次のとおり決定する。
【結　論】
　訂正を認める。
　本件特許異議の申立てを却下する。
【理　由】
〔１〕手続の経緯
　特許第２７８７１０３号発明は、平成７年２月７日に出願され、平成１０年６月５日に特許権の設定の登録がなされ、その後、豊和工業株式会社より特許異議の申立てがなされ、当審において取消理由通知がなされたところ、その指定期間内に平成１１年１１月１１日付けで訂正請求がなされたものである。
　
〔２〕訂正について
１．訂正の内容
　訂正請求の趣旨は、特許第２７８７１０３号の明細書を訂正請求書に添付した訂正明細書のとおり訂正することを求めるものであり、その訂正の内容は以下のａ〜ｏのとおりである。
　ａ．明細書の特許請求の範囲の
「【請求項１】　塵埃等を掻き上げる回転ブラシと、この回転ブラシからの塵埃等を入れる密閉タンクと、この密閉タンクの風出口よりも外側にあって前記密閉タンク内に塵埃等を吸込むファンとを備えたことを特徴とするスイーパー。
【請求項２】　回転ブラシを覆うブラシボックス内で掻き上げられて塵埃等が上方に向うその方向に向けてファンの吹出風の上方吹出口部を設けたことを特徴とする請求項１記載のスイーパー。
【請求項３】　ファンの吹出風量を調整する吹出風量調整機構を備えたことを特徴とする請求項２記載のスイーパー。
【請求項４】　ファンの吸込側に吸込風量を調整する吸込風量調整機構を備えたことを特徴とする請求項１〜３記載のいずれかのスイーパー。
【請求項５】　ファンの最終吹出部に循環風として戻る風量を調整する循環風量調整機構を備えたことを特徴とする請求項４記載のスイーパー。」を、
「【請求項１】　塵埃等を掻き上げる回転ブラシと、この回転ブラシからの塵埃等を入れる密閉タンクと、この密閉タンクの風出口よりも外側にあって前記密閉タンク内に塵埃等を吸込むファンと、ファンの吸込側に吸込風量を調整する吸込風量調整機構とを備えたことを特徴とするスイーパー。
【請求項２】　回転ブラシを覆うブラシボックス内で掻き上げられて塵埃等が上方に向うその方向に向けてファンの吹出風の上方吹出口部を設けたことを特徴とする請求項１記載のスイーパー。
【請求項３】　ファンの吹出風量を調整する吹出風量調整機構を備えたことを特徴とする請求項２記載のスイーパー。
【請求項４】　ファンの最終吹出部に循環風として戻る風量を調整する循環風量調整機構を備えたことを特徴とする請求項１〜３のいずれか記載のスイーパー。」に訂正する。
　ｂ．明細書の段落【０００４】を、「請求項１の発明はかかる問題点を解消するためになされたもので、回転ブラシにより掻き上げられた塵埃等が密閉タンクに収納される前にファンを通らないようにすることにより塵埃等によるファンの羽根板の摩耗が著しく軽減され、ファンの寿命が延びるスイーパーを得ることを目的とする。さらに、吸込風量調整機構によりファンへの吸込風量に外気を取り入れることにより風量の増大が図れて塵埃等の回収が効率よく行えるスイーパーを得ることを目的とする。」に訂正する。
　ｃ．明細書の段落【０００７】の内容を削除する。
　ｄ．明細書の段落【０００８】を、「請求項４の発明は、吸込風量調整機構と共に循環風量調整機構により循環風として戻る風量を調整することにより最大限の風量が得られて塵埃等，特に湿った芝でも容易確実に回収できるスイーパーを得ることを目的とする。」に訂正する。
　ｅ．明細書の段落【０００９】を、「【課題を解決するための手段】　請求項１の発明に係るスイーパーは、塵埃等を掻き上げる回転ブラシと、この回転ブラシからの塵埃等を入れる密閉タンクと、この密閉タンクの風出ロよりも外側にあって前記密閉タンク内に塵埃等を吸込むファンと、ファンの吸込側に吸込風量を調整する吸込風量調整機構とを備えたものである。」に訂正する。
　ｆ．明細書の段落【００１２】の内容を削除する。
　ｇ．明細書の段落【００１３】を、「請求項４の発明に係るスイーパーは、ファンの最終吹出部に循環風として戻る風量を調整する循環風量調整機構を備えたものである。」に訂正する。
　ｈ．明細書の段落【００１４】を、「【作用】　請求項１の発明においては、ファンは密閉タンクの風出口よりも外側にあるので、回転ブラシにより掻き上げられた塵埃等はファンを通らずに密閉タンク内に収納される。さらに、ファンへの吸込風量に外気を取り入れるので、風量の増大が図れる。」に訂正する。
　ｉ．明細書の段落【００１７】の内容を削除する。
　ｊ．明細書の段落【００１８】を、「請求項４の発明においては、循環風として戻る風量を調整できるので、最大限の風量が得られる。」に訂正する。
　ｋ．明細書の段落【００１９】を、「【実施例】実施例１．　図１〜図７について説明する。図１は装置全体を示す一部破断の側面図、図２は図１の要部側面図、図３は図１の線ＩＩＩ−ＩＩＩの断面図、図４は図３の一部破断斜視図、図５は図４の線Ｖ−Ｖの断面図、図６は図１のファンを示す斜視図、図７は図１の密閉タンクを示す背面斜視図であり、前記従来のものと同一または相当部分には同一符号を付して説明を省略する。」に訂正する。
　ｌ．明細書の段落【００２５】を、「実施例２．　図８〜図１０について説明する。図８は要部の縦断側面図、図９は図８の密閉タンクを示す背面斜視図、図１０は図９の底面斜視図であり、前記実施例１と同一または相当部分には同一符号を付して説明を省略する。」に訂正する。
　ｍ．明細書の段落【００２５】を、「【発明の効果】　請求項１の発明によれば回転ブラシにより掻き上げられた塵埃等が密閉タンクに収納される前にファンを通らないので塵埃等によるファンの羽根板の摩耗が著しく軽減され、ファンの寿命が延びるという効果が得られる。さらに、吸込風量調整機構によりファンへの吸込風量に外気を取り入れることにより風量の増大が図れるので塵埃等の回収が効率よく行えるという効果が得られる。」に訂正する。
　ｎ．明細書の段落【００３３】の内容を削除する。
　ｏ．明細書の段落【００３４】を、「請求項４の発明によれば吸込風量調整機構と共に循環風量調整機構により循環風として戻る風量を調整することにより最大限の風量が得られるので塵埃等，特に湿った芝でも容易確実に回収できるという効果が得られる。」に訂正する。
２．訂正の適否
（１）訂正ａについて
　訂正請求書には、訂正ａは、特許請求の範囲の請求項４に記載された特徴、即ち「ファンの吸込側に吸込風量を調整する吸込風量調整機構を備えたこと」を請求項１に記載されたスイーパーに組入れたもので、特許請求の範囲の減縮を目的とするものである旨記載されているが、本件特許異議の申立てが請求項１〜３に対しなされていること、及び同時に提出された意見書における、請求項１〜３に係る発明に対して通知した取消理由通知書で指摘されていない請求項４の内容を請求項１に組み入れたので、取消理由は存在しなくなった旨の記載からすると、この訂正ａは、請求項１〜３を削除し、それに伴い請求項１〜３を引用していた請求項４、及び請求項４を引用していた請求項５の記載形式を変更する趣旨であると解され、特許請求の範囲の減縮を目的とするものと認められる。
　そして、この訂正ａは、特許明細書又は図面に記載した事項の範囲内のものであり、しかも実質上特許請求の範囲を拡張し、又は変更するものではない。
　なお、訂正後の請求項１〜４は、記載形式が変更されただけで、内容は変更されていないので、独立特許要件についての検討を要しないものと考える。
（２）訂正ｂ〜ｏについて
　これらの訂正は、特許請求の範囲の記載の訂正に伴って、特許請求の範囲の記載との整合を図るために明細書の発明の詳細な説明を訂正するものであって、明りようでない記載の釈明を目的とするものである。そして、これらの訂正は、特許明細書又は図面に記載した事項の範囲内のものであり、しかも実質上特許請求の範囲を拡張し、又は変更するものではない。
（３）まとめ
　以上のとおりであるから、訂正ａ〜ｏは、特許法等の一部を改正する法律（平成６年法律１１６号）附則６条１項の規定によりなお従前の例によるとされる、特許法第１２０条の４第２項ただし書１号又は３号に掲げる事項を目的とし、同条３項で準用する同法第１２６条２項及び３項の規定に適合するので、当該訂正を認める。
　
〔３〕特許異議の申立てについて
　特許異議申立人は、請求項１〜３に係る発明の特許の取り消しを求めているところ、その請求項１〜３は、上記のとおり訂正の結果削除されたから、特許異議の申立ての対象が存在しないこととなった。
　したがって、本件特許異議の申立ては、不適法な特許異議の申立てであって、その補正をすることができないものであるから、特許法１２０条の６第１項において準用する同法１３５条の規定により却下すべきものである。
　よって、結論のとおり決定する。
【異議決定日】
平成１２年２月２１日（２０００．２．２１）
【訂正の要旨】
〔訂正の要旨〕
　特許第２７８７１０３号の明細書を特許請求の範囲の減縮を目的として下記ａのとおり、明瞭でない記載の釈明を目的として下記ｂ〜ｏのとおり訂正する。
　ａ．明細書の特許請求の範囲の
「【請求項１】　塵埃等を掻き上げる回転ブラシと、この回転ブラシからの塵埃等を入れる密閉タンクと、この密閉タンクの風出口よりも外側にあって前記密閉タンク内に塵埃等を吸込むファンとを備えたことを特徴とするスイーパー。
　【請求項２】　回転ブラシを覆うブラシボックス内で掻き上げられて塵埃等が上方に向うその方向に向けてファンの吹出風の上方吹出口部を設けたことを特徴とする請求項１記載のスイーパー。
　【請求項３】　ファンの吹出風量を調整する吹出風量調整機構を備えたことを特徴とする請求項２記載のスイーパー。
　【請求項４】　ファンの吸込側に吸込風量を調整する吸込風量調整機構を備えたことを特徴とする請求項１〜３記載のいずれかのスイーパー。
　【請求項５】　ファンの最終吹出部に循環風として戻る風量を調整する循環風量調整機構を備えたことを特徴とする請求項４記載のスイーパー。」を、
「【請求項１】　塵埃等を掻き上げる回転ブラシと、この回転ブラシからの塵埃等を入れる密閉タンクと、この密閉タンクの風出口よりも外側にあって前記密閉タンク内に塵埃等を吸込むファンと、ファンの吸込側に吸込風量を調整する吸込風量調整機構とを備えたことを特徴とするスイーパー。
　【請求項２】　回転ブラシを覆うブラシボックス内で掻き上げられて塵埃等が上方に向うその方向に向けてファンの吹出風の上方吹出口部を設けたことを特徴とする請求項１記載のスイーパー。
　【請求項３】　ファンの吹出風量を調整する吹出風量調整機構を備えたことを特徴とする請求項２記載のスイーパー。
　【請求項４】　ファンの最終吹出部に循環風として戻る風量を調整する循環風量調整機構を備えたことを特徴とする請求項１〜３のいずれか記載のスイーパー。」に訂正する。
　ｂ．明細書の段落【０００４】を、「請求項１の発明はかかる問題点を解消するためになされたもので、回転ブラシにより掻き上げられた塵埃等が密閉タンクに収納される前にファンを通らないようにすることにより塵埃等によるファンの羽根板の摩耗が著しく軽減され、ファンの寿命が延びるスイーパーを得ることを目的とする。さらに、吸込風量調整機構によりファンヘの吸込風量に外気を取り入れることにより風量の増大が図れて塵埃等の回収が効率よく行えるスイーパーを得ることを目的とする。」に訂正する。
　ｃ．明細書の段落【０００７】の内容を削除する。
　ｄ．明細書の段落【０００８】を、「請求項４の発明は、吸込風量調整機構と共に循環風量調整機構により循環風として戻る風量を調整することにより最大限の風量が得られて塵埃等，特に湿った芝でも容易確実に回収できるスイーパーを得ることを目的とする。」に訂正する。
　ｅ．明細書の段落【０００９】を、「【課題を解決するための手段】請求項１の発明に係るスイーパーは、塵埃等を掻き上げる回転ブラシと、この回転ブラシからの塵埃等を入れる密閉タンクと、この密閉タンクの風出口よりも外側にあって前記密閉タンク内に塵埃等を吸込むファンと、ファンの吸込側に吸込風量を調整する吸込風量調整機構とを備えたものである。」に訂正する。
　ｆ．明細書の段落【００１２】の内容を削除する。
　ｇ．明細書の段落【００１３】を、「請求項４の発明に係るスイーパーは、ファンの最終吹出部に循環風として戻る風量を調整する循環風量調整機構を備えたものである。」に訂正する。
　ｈ．明細書の段落【００１４】を、「【作用】請求項１の発明においては、ファンは密閉タンクの風出口よりも外側にあるので、回転ブラシにより掻き上げられた塵埃等はファンを通らずに密閉タンク内に収納される。さらに、ファンヘの吸込風量に外気を取り入れるので、風量の増大が図れる。」に訂正する。
　ｉ．明細書の段落【００１７】の内容を削除する。
　ｊ．明細書の段落【００１８】を、「請求項４の発明においては、循環風として戻る風量を調整できるので、最大限の風量が得られる。」に訂正する。
　ｋ．明細書の段落【００１９】を、「【実施例】実施例１．図１〜図７について説明する。図１は装置全体を示す一部破断の側面図、図２は図１の要部側面図、図３は図１の線ＩＩＩ−ＩＩＩの断面図、図４は図３の一部破断斜視図、図５は図４の線Ｖ−Ｖの断面図、図６は図１のファンを示す斜視図、図７は図１の密閉タンクを示す背面斜視図であり、前記従来のものと同一または相当部分には同一符号を付して説明を省略する。」に訂正する。
　ｌ．明細書の段落【００２５】を、「実施例２．図８〜図１０について説明する。図８は要部の縦断側面図、図９は図８の密閉タンクを示す背面斜視図、図１０は図９の底面斜視図であり、前記実施例１と同一または相当部分には同一符号を付して説明を省略する。」に訂正する。
　ｍ．明細書の段落【００２５】を、「【発明の効果】　請求項１の発明によれば回転ブラシにより掻き上げられた塵埃等が密閉タンクに収納される前にファンを通らないので塵埃等によるファンの羽根板の摩耗が著しく軽減され、ファンの寿命が延びるという効果が得られる。さらに、吸込風量調整機構によりファンヘの吸込風量に外気を取り入れることにより風量の増大が図れるので塵埃等の回収が効率よく行えるという効果が得られる。」に訂正する。
　ｎ．明細書の段落【００３３】の内容を削除する。
　ｏ．明細書の段落【００３４】を、「請求項４の発明によれば吸込風量調整機構と共に循環風量調整機構により循環風として戻る風量を調整することにより最大限の風量が得られるので塵埃等，特に湿った芝でも容易確実に回収できるという効果が得られる。」に訂正する。
（５４）【発明の名称】
スイーパー
（５７）【特許請求の範囲】
　【請求項１】　塵埃等を掻き上げる回転ブラシと、この回転ブラシからの塵埃等を入れる密閉タンクと、この密閉タンクの風出口よりも外側にあって前記密閉タンク内に塵埃等を吸込むファンと、ファンの吸込側に吸込風量を調整する吸込風量調整機構とを備えたことを特徴とするスイーパー。
　【請求項２】　回転ブラシを覆うブラシボックス内で掻き上げられて塵埃等が上方に向うその方向に向けてファンの吹出風の上方吹出口部を設けたことを特徴とする請求項１記載のスイーパー。
　【請求項３】　ファンの吹出風量を調整する吹出風量調整機構を備えたことを特徴とする請求項２記載のスイーパー。
　【請求項４】　ファンの最終吹出部に循環風として戻る風量を調整する循環風量調整機構を備えたことを特徴とする請求項１〜３のいずれか記載のスイーパー。
【発明の詳細な説明】
　【０００１】
　【産業上の利用分野】
　この発明は、ゴルフ場，公園，道路等の清掃車あるいは草を集める集草車として利用できるスイーパーに関するものである。
　【０００２】
　【従来の技術】
　従来のこの種のスイーパーは、例えば図１１をもって示す実開平３−７９３２１号公報に示されるように、芝生１上の塵埃等を掻き上げる回転ブラシ２を内装したケース３に、このケース３内の空気を回転ブラシ２で掻き上げられた塵埃等と共に吸引揚送するファン４が連設されていると共に、このファン４で吸引された塵埃等を揚送気流から分離して貯留する密閉タンク５を備えたものにおいて、ファン４で吸引されかつ塵埃等を分離除去した後の空気を、回転ブラシ２の芝生１に対する清掃箇所に向けて回転ブラシ２の背部より吹きつける空気流案内路６を設けてなるものである。
　なお、本機は操向用前輪７と駆動用後輪８とにより車台９が走行する自走車になっている。
　【０００３】
　【発明が解決しようとする課題】
　従来のスイーパーは以上のように構成されているので、回転ブラシ２により掻き上げられた塵埃等は密閉タンク５内に収納される前にファン４を通過し、接触する塵埃等によってファン４の羽根板が摩耗するという問題点があった。
　【０００４】
　請求項１の発明はかかる問題点を解消するためになされたもので、回転ブラシにより掻き上げられた塵埃等が密閉タンクに収納される前にファンを通らないようにすることにより塵埃等によるファンの羽根板の摩耗が著しく軽減され、ファンの寿命が延びるスイーパーを得ることを目的とする。さらに、吸込風量調整機構によりファンヘの吸込風量に外気を取り入れることにより風量の増大が図れて塵埃等の回収が効率よく行えるスイーパーを得ることを目的とする。
　【０００５】
　請求項２の発明は、塵埃等が掻き上げられる上方に向けてファンの吹出風を吹き出させることにより湿った塵埃等の付着による収集ムラが解消できるスイーパーを得ることを目的とする。
　【０００６】
　請求項３の発明は、吹出風量調整機構によりファンの吹出風量を調整することにより塵埃等の湿ったもの，乾いたものに対応できるスイーパーを得ることを目的とする。
　【０００７】
　【０００８】
　請求項４の発明は、吸込風量調整機構と共に循環風量調整機構により循環風として戻る風量を調整することにより最大限の風量が得られて塵埃等，特に湿った芝でも容易確実に回収できるスイーパーを得ることを目的とする。
　【０００９】
　【課題を解決するための手段】
　請求項１の発明に係るスイーパーは、塵埃等を掻き上げる回転ブラシと、この回転ブラシからの塵埃等を入れる密閉タンクと、この密閉タンクの風出口よりも外側にあって前記密閉タンク内に塵埃等を吸込むファンと、ファンの吸込側に吸込風量を調整する吸込風量調整機構とを備えたものである。
　【００１０】
　請求項２の発明に係るスイーパーは、回転ブラシを覆うブラシボックス内で掻き上げられて塵埃等が上方に向うその方向に向けてファンの吹出風の上方吹出口部を設けたものである。
　【００１１】
　請求項３の発明に係るスイーパーは、ファンの吹出風量を調整する吹出風量調整機構を備えたものである。
　【００１２】
　【００１３】
　請求項４の発明に係るスイーパーは、ファンの最終吹出部に循環風として戻る風量を調整する循環風量調整機構を備えたものである。
　【００１４】
　【作用】
　請求項１の発明においては、ファンは密閉タンクの風出口よりも外側にあるので、回転ブラシにより掻き上げられた塵埃等はファンを通らずに密閉タンク内に収納される。さらに、ファンヘの吸込風量に外気を取り入れるので、風量の増大が図れる。
　【００１５】
　請求項２の発明においては、塵埃等が掻き上げられる上方に向けてファンの吹出風が吹き出されるので、掻き上げられた塵埃等が付着しない。
　【００１６】
　請求項３の発明においては、ファンの吹出風量を調整できるので、塵埃等の乾燥度合に応じて吹出風量を変更調整できる。
　【００１７】
　【００１８】
　請求項４の発明においては、循環風として戻る風量を調整できるので、最大限の風量が得られる。
　【００１９】
　【実施例】
　実施例１．
　図１〜図７について説明する。図１は装置全体を示す一部破断の側面図、図２は図１の要部側面図、図３は図１の線ＩＩＩ−ＩＩＩの断面図、図４は図３の一部破断斜視図、図５は図４の線Ｖ−Ｖの断面図、図６は図１のファンを示す斜視図、図７は図１の密閉タンクを示す背面斜視図であり、前記従来のものと同一または相当部分には同一符号を付して説明を省略する。
　【００２０】
　図において、１０は回転ブラシ２を支持する軸で、支持アーム１１により上下動可能に車台９に保持されている。１２は回転ブラシ２を上方から覆うブラシボックスで、軸１０により支持されると共に前後の走行輪１３により上下の位置決めをされて回転ブラシ２の芝生１との距離を保持している。１４はブラシボックス１２の前方開口１２ａに連接した当て板、１５は密閉タンク５の入口５ａに取付けた風胴部材で、ブラシボックス１２の前方開口１２ａの前方に被さるように垂下しかつブラシボックス１２の前方開口１２ａから密閉タンク５の入口５ａに通じる掻上風胴部１５Ａとこの掻上風胴部１５Ａを貫通する入口管１５ａから下端の上向吹出口部１５ｂに通じる吹出風胴部１５Ｂとを有していると共にヒンジ１６により上下に２分割されている。１７は風胴部材１５の下端をヒンジ１６を利用して引きつけておくリンク、１８は当て板１４に係合するように風胴部材１５に連設したゴム板、１９は風胴部材１５の下方を塞ぐための遮蔽板、２０はファン４の一方の吹出口４ａと風胴部材１５の入口管１５ａとを連通するダクト、２１はファン４の他方の吹出口４ｂに接続した放出管で、フィルター２２を有している。２３はファン４の吸込口４ｃに連通すると共に密閉タンク５の下部背面に開口する吸込通路、２４は密閉タンク５の蓋で、密閉タンク５の風出口５ｂ（内側にフィルター５ｃを有している）と吸込通路２３の開口とを連通する吸込経路２４ａを有している。２５は蓋２４の開閉用シリンダ、２６は支持アーム１１を回転駆動して回転ブラシ２を上方に退避（移動走行時）させるシリンダ、２７はダクト２０に設けた通路開閉調整弁からなる吹出風量調整機構で、上向吹出口部１５ｂからのファン４の吹出風量を調整する。
　【００２１】
　次に動作について説明する。回転ブラシ２とファン４とを作業用エンジン２８または走行用エンジン２９により駆動すると、回転ブラシ２により芝生１上の塵埃等が掻き上げられると共にファン４による吸込力（掻上風胴部１５Ａ→密閉タンク５→蓋２４の吸込経路２４ａ→吸込通路２３）によってこの掻き上げられた塵埃等は密閉タンク５内に収納される。その際、ファン４の吹出風は放出管２１によって大気中に放出されると共にダクト２０により吹出風胴部１５Ｂに入りその上向吹出口部１５ｂより吹き出し、回転ブラシ２により掻き上げられた塵埃等をそのまま上方へと吹き上げ、前記吸引効果を高める。
　【００２２】
　このように回転ブラシ２により掻き上げられた塵埃等はファン４による吸込力により掻上風胴部１５Ａから密閉タンク５内に直接放り込まれるので、塵埃等がファン４の羽根板に触れることがない。
　【００２３】
　また、このようにファン４の吹出風の一部を吹出風胴部１５Ｂの上向吹出口部１５ｂから吹き出させて回転ブラシ２により掻き上げられた塵埃等をそのまま上方へと吹き上げておくと、ファン４による吸引効果を高めると共に、例えば湿った葉などが風胴部材１５の内面に付着するのを防止できる。つまり、湿った葉などが付着してかたまりとなって落下することによる収集ムラが防止できる。
　【００２４】
　さらに、このようにダクト２０に吹出風量調整機構２７を設けておくと、収集する塵埃等の湿り度合に合わせて吹出風胴部１５Ｂの上方吹出口部１５ｂからの吹出風量を調整できるので、塵埃等の湿ったもの，乾いたものに対応できる。
　【００２５】
実施例２．
　図８〜図１０について説明する。図８は要部の縦断側面図、図９は図８の密閉タンクを示す背面斜視図、図１０は図９の底面斜視図であり、前記実施例１と同一または相当部分には同一符号を付して説明を省略する。
　【００２６】
　図において、３０はファン４への吸込通路２３を構成するために密閉タンク５の下面に設けた吸込ダクト、３１は吸込ダクト３０に設けた外気取入用開口、３２は開口３１を開閉して外気の取入れ量を調整する開閉蓋からなる吸込風量調整機構、３３は蓋２４に設けた開放部、３４は開放部３３を開いて循環風を外部に放出する開閉蓋からなる循環風量調整機構で、循環風として戻る風量を調整する。
　【００２７】
　本装置における循環風は前記した実施例１で説明したように密閉経路を循環するものであるので、外気の空気が入りにくく，風量不足になりがちであるが、冬季の枯芝，枯草など比重が軽い塵埃等には丁度適した風量域である。従って、本実施例においては、吹込風量調整機構３２および循環風量調整機構３４を閉じて最小風量にした状態（即ち、実施例１と同じ）で、枯芝，枯草など比重の軽い塵埃等を回収する。循環風に乗るのでほこりがたたず（外部に出ない）に回収できる。
　【００２８】
　次に、通常の芝カスなど先程よりも少し重い塵埃等を回収する場合には、吸込風量調整機構３２を開いて開口３１より外気を取入れると、ファン４への吸込風量が増大するので、少し重い塵埃等を効率よく回収できる。
　【００２９】
　さらに、湿った芝カスなど水分を含んで重い塵埃等を回収する場合には、吸込風量調整機構３２および循環風量調整機構３４を開いて開放部３３より循環風を放出すると同時に開口３１より外気を取入れると、ファン４への吸込風量を最大限に大きくできるので、湿って重い塵埃等を容易確実に回収できる。なお、開放部３３より外部に放出する塵埃等は湿って重いのでほこりは目立たない。
　【００３０】
　【発明の効果】
　請求項１の発明によれば回転ブラシにより掻き上げられた塵埃等が密閉タンク　に収納される前にファンを通らないので塵埃等によるファンの羽根板の摩耗が著しく軽減され、ファンの寿命が延びるという効果が得られる。さらに、吸込風量調整機構によりファンヘの吸込風量に外気を取り入れることにより風量の増大が図れるので塵埃等の回収が効率よく行えるという効果が得られる。
　【００３１】
　請求項２の発明によれば塵埃等が掻き上げられる上方に向けてファンの吹出風を吹き出させるので湿った塵埃等の付着による収集ムラが解消できるという効果が得られる。
　【００３２】
　請求項３の発明によれば吹出風量調整機構によりファンの吹出風量を調整できるので塵埃等の湿ったもの，乾いたものに対応できるという効果が得られる。
　【００３３】
　【００３４】
　請求項４の発明によれば吸込風量調整機構と共に循環風量調整機構により循環風として戻る風量を調整することにより最大限の風量が得られるので塵埃等，特に湿った芝でも容易確実に回収できるという効果が得られる。
【図面の簡単な説明】
　【図１】
　この発明の実施例１を示す一部破断の側面図である。
　【図２】
　図１の要部側面図である。
　【図３】
　図１の線ＩＩＩ−ＩＩＩから見た正面図である。
　【図４】
　図３の一部破断斜視図である。
　【図５】
　図４の線Ｖ−Ｖの断面図である。
　【図６】
　図１のファンを示す斜視図である。
　【図７】
　図１の密閉タンクを示す背面斜視図である。
　【図８】
　この発明の実施例２を示す要部縦断側面図である。
　【図９】
　図８の密閉タンクを示す背面斜視図である。
　【図１０】
　図９の底面斜視図である。
　【図１１】
　従来装置を示す一部破断の側面図である。
　【符号の説明】
　　　２　回転ブラシ
　　　４　ファン
　　　５　密閉タンク
　　５ｂ　風出口
　　１０　軸
　　１１　支持アーム
　　１２　ブラシボックス
　　１３　走行輪
　　１５　風胴部材
　１５ｂ　上方吹出口部
　１５Ａ　掻上風胴部
　１５Ｂ　吹出風胴部
　　２３　吸込通路
　　２４　蓋
　　２７　吹出風量調整機構
　　３２　吸込風量調整機構
　　３４　循環風量調整機構